(57)【要約】      （修正有）【課題】冷蔵庫等に収納する飲料水用の例えば２リットル程度のプラスチック瓶でも、老年や幼児が持ち運ぶことや、つかむことが容易で、かつ、携帯式で取り付け容易な、瓶等に使用する把手を提供する。【解決手段】前頭部３、瓶の下方支持部６を備えた瓶支持部２及び両者をつなぐ連結部４からなる把手であり、前記前頭部には、瓶５の首部５１に引っかかる環状部を備え、かつ瓶等の首部に引っかかる環状部及びスリット部を備えている。【選択図】  図１
2004161358.tif 000002
【特許請求の範囲】
【請求項１】
前頭部、瓶の下方支持部を備えた瓶支持部及び両者をつなぐ連結部からなる瓶等に使用する把手
【請求項２】
前記前頭部には、瓶等の首部に引っかかる環状部を備えたことを特徴とする請求項１記載の瓶等に使用する把手
【請求項３】
前記前頭部には、瓶等の首部に引っかかる環状部及びスリット部を備えたことを特徴とする請求項２記載の瓶等に使用する把手
【請求項４】
前頭部、瓶の下方支持部を備えた瓶支持部及び両者をつなぐ連結部からなり、非使用時は直線状となっていることを特徴とする瓶等に使用する把手
【発明の詳細な説明】
【０００１】
【発明の属する技術分野】
本発明は、液体の運搬の為の把手に関し、特に、飲料瓶やボトルなどに簡単に取り付けられ運搬できる且つ冷蔵庫等にも容積を取らず収納できるものに関する。
【０００２】
【従来の技術】
現在水などの飲料水は販売されており、２リットル瓶が家庭では主流である。
そして、それら飲料瓶の運搬は、把手や取っ手がない場合が多いので、瓶のキャップ部分をつかんだり、胴体部分を両手などでつかんで運んだり、又は冷蔵庫などから取り出していた。
【０００３】
【特許文献】
特開平９−２１６６３４号公報
【０００４】
【発明が解決しようとする課題】
上記の従来の構成では、例えば、飲料水などの２リットル瓶などを冷蔵庫から取り出したり、又入れたりする場合に、２ｋｇの重量があるので、老人や子供などが行う場合には、掴みにくく、且つ重い為
に、負担となっており、手に余り落とすことも少なくない。
【０００５】
又、逆に瓶に取っ手がある場合には、狭い冷蔵庫に取手分のスペースを要し収納しにくい欠点があった。
【０００６】
また、製造コストも上がり、その分、瓶価格の上昇を来すことにもなっていた。
【０００７】
本発明は、上記の問題点を改善して、老人や子供などが容易に瓶に取り付けでき、簡単に運搬ができ又冷蔵庫などからも容易に取り出すことができ、しかも冷蔵庫などでもスペースを余分に要しない把手を得ることを目的とする。
しかも非使用時には、携帯自在となるものを得る。
【０００８】
【課題を解決するための手段】
上記の課題を解決するために本発明では、前頭部、瓶の下方支持部を備えた瓶支持部及び両者をつなぐ連結部からなる瓶等に使用する把手を提供する。
【０００９】
更に前記前頭部には、瓶等の首部に引っかかる環状部を備えた把手を提供する
【００１０】
前記前頭部には、瓶等の首部に引っかかる環状部及びスリット部を備えた瓶等に使用する把手を提供する
【００１１】
前頭部、瓶の下方支持部を備えた瓶支持部及び両者をつなぐ連結部からなり、弾性部材からなり、各部材は直線状となっている瓶等に使用する把手を提供する。
【００１２】
【発明の実施の形態】
本発明の実施の形態を実施例に基づき、図面を参照して説明する。図１は本発明の実施例の一つである。
【００１３】
図１で示されるように、把手１には、市販の飲料水用のプラスチック瓶５に取り付けた状態を示している。
該把手１は、図２に示すように、主に３つの部分からなり、一は、瓶５の胴部５０へ挿着される瓶支持部２、一は瓶２の首部５１へ掛かる前頭部３、その両者をつなぐ連結部４とからなる。把手１は、プラスチックで一体成形が可能であるが、別体として接着剤などで組み合わせることもできる。
【００１４】
材料は、プラスチック材などの弾性材からなるが、瓶を運ぶ程度の剛性を有さねばならない。勿論、弾性部材からなる部材としては、プラスチックの外種々の材料が当業者によって採用できる。例えば、薄板状の鉄材や硬質な紙材でもできる。通常は、図２に示すように、三次元ではなく直線状になっており、瓶に掛けるときには、図１に示すような状態となる。
【００１５】
しかし、少しの撓み、例えば弓状のような形状をしていてもかまわない。
【００１６】
即ち、瓶支持部２は、瓶５に挿入させる為、挿着部２０１が設けられており、該挿着部２０１は、瓶５を支持する枠体２０が挿着部２０１周囲を囲んでいる。
【００１７】
又、通常は、プラスチック瓶５には、それ自体では、強度が弱いので補強のための溝部５２が瓶５周囲の胴部５０に形成されているので、係合部２１が挿着部２０１に設けられる。係合部２１は、挿着部２０１の先端部が、図２に示すように、好ましいが、側部又は前部でも設けることはできる。
【００１８】
このため、瓶５の掛けたときに、溝部５２に掛かり脱落することなく抜け落ちない。
【００１９】
また、挿着部２０１には、図１、図２に示すように瓶底部に架かる下方支持部６が設けられている。
【００２０】
該下方支持部６は、瓶の底部側を支持することは勿論であるが、瓶の支持をより確実にして、把手の揺動を防ぐ意味も有している。
【００２１】
図２に示すように、下方支持部６は、挿着部２０１の線方向に板状に平行に設けられている。その理由は、線方向であると該方向と同方向であるために、挿着部の型くずれもせず挿着が容易であり、また、実際に把手１を使用したときに、瓶の重量を支えるとき、把手１の係合部２１と連結部４側とが線上に並ぶので、支持し易いことになる。    また、板状の挿着部２０１は、複数設置されてもよい。
【００２２】
なお、下方支持部６は、線上でなくて、線上に対して直角方向でもよいが、支持の安定性は図２に示すものには及ばない。
【００２３】
また、単に板状でなくてワイヤ状や断面が矩形でもよい。
【００２４】
更には、網状のようなもので下方を覆ってもよく、また布でくるむものとしてもよく、その他様々な変形例が当業者によって可能である。
【００２５】
前頭部３には、瓶５の首部５１へ掛かる環状部３０が設けられる。瓶体には、殆どキャップ５０１が設けられているので、その瓶５の首部５１へ挿着可能である。該環状部３０は、瓶５のキャップ５０１へ嵌るように、図２に示すように、環状からなっており、直線方向にスリット部３１が設けられる。スリット部３１と環状部３０の境界には、喉部３００が設けられおり、瓶５の首５１へ掛けたときに、該喉部３００によって瓶５の首部５１から脱落しないようになっている。
【００２６】
又スリット部３１は、瓶５の首部５１の口径が環状部３０の径より大なるときには、広がり挿着を助ける。なお、スリット部３１は、弾性材で形成されるので、広がることは可能なので、設けなくてもよいが、挿着を更に容易にすることは理解される。把手はプラスチックのような弾性部材で形成されているので、瓶５の首部５１へ係合した後は、元の環状部３０の口径の形状へ戻るので、外れることはない。
【００２７】
把手１の瓶支持部２と前頭部３とをつなぐ連結部４は、瓶５へ取り付けたときに、取っ手ともなるもので、図２に示すように、他の前頭部３や瓶支持部２に比べてより強度を持たせ他の前頭部３や瓶支持部２のために、他部に比べてより厚い、厚み部４０を有している。この場合、前頭部３や瓶支持部２は、比較的弾性的であってもよいが、連結部４は把持しなければならないので、より硬質であれば持ちやすい。そこで、瓶に掛けて持っても、取っ手としての役割を果たせる。勿論、全体を弾性を有するものであって形成することも可能である。
【００２８】
又、把手１は、図に示すように、把手１は一方にしか設けられていないが、両側に同じものを、図の点線で示すように、瓶支持部２を中心として両側にダブルで設けて図４に示すように設けてもよい。
【００２９】
この場合には、図１に示すように、瓶の両側に把手１が設けられているので、いずれの側からも把手の連結部４，４を掴むことができる利点がある。
【００３０】
冷蔵庫にいれても、この例でも、把手１は、隣に瓶があっても瓶の垂直方向にその弾性で縮まり、場所を取らない点は変わりがない。
【００３１】
以上により、把手１を瓶５に対して、簡単に瓶５の胴部５０へ瓶支持部２の挿着部２０１を瓶の胴部５０に対して挿入し、瓶の溝部５２へ取り付け、且つ前頭部３を瓶５の首５１へ挿着させて、取り付ける。取り付け後は、連結部４を持って運ぶことができる。又、購入後や非使用時には、直線状となっており、且つ環状部３０や挿着部２０１があるので、台所の壁等に吊り下げておけ、場所もとらない。
【００３２】
冷蔵庫などへ収納するときは、そのまま冷蔵庫のポケットへ装着するが、把手１は弾性を有しており、瓶５に対して手が挿入できるための間隙があるので、可動でき、従って、ポケットの隣りに他の瓶等があっても、瓶５体に押しつけられて縮まり、固定式な把手に比べて容積を取らないで、別段容積を取らない分多く収納することができる。
【００３３】
以上本発明の技術思想は、上記の実施例に限定されず当業者によって種々の実施例が考えられる。
【００３４】
【発明の効果】
本発明は、上記のように、老人や子供などが容易に瓶に取り付けでき、簡単に運搬ができ又冷蔵庫などからも容易に、片手でも取り出すことができる。
【００３５】
しかも冷蔵庫などでも、把手は弾性のため可動できるので瓶に圧縮され張り付いて、他の瓶等の邪魔にならず、スペースを余分に要しない利点がある。
【００３６】
又、瓶が空となったときは、把手は容易に取り外しができるので、取り外しておき再使用が可能であって経済的であり、しかも弾性を有するために、再び、直線状となるので、引き出し等へ収納は容易である。また、環状部があるので、壁等の釘へ掛けておくことも容易である。
【００３７】
更に、瓶の下方支持部を設けたので、把手を使用するときは揺動せず安定した移動が可能となった。
【００３８】
更に、通常は、瓶に取り付けないときは、弾性の為三次元ではなく直線状であるので、持ち運びが容易であり、携帯自在で多数運ぶことも可能である。
【図面の簡単な説明】
【図１】本発明の実施例の一つである把手を瓶に取り付けた使用状態を示す。
【図２】本発明の実施例の一つである把手の非使用時の平面又は側面を示す。
【図３】本発明の実施例の一つである把手の瓶へ取り付け前の斜視面を示す。
【図４】本発明の他の実施例の一つである把手の瓶への取り付け前の斜視面を示す。
【符号の説明】
１        把手
２        瓶支持部
２０            枠体
２１      係合部
２０１    挿着部
３        前頭部
３０      環状部
３１      スリット部
３００    咽喉部
４        連結部
４０      厚み部
５        瓶
５０      胴部
５０１    キャップ
５１      首部
５２      溝部
６        下方支持部
【図１】
2004161358.tif 000003
【図２】
2004161358.tif 000004
【図３】
2004161358.tif 000005
【図４】
2004161358.tif 000006